(57)【要約】【課題】認証機能を備えたカメラを提供する。【解決手段】光路となる開口部１３に臨む位置と退避位置とを移動自在な赤外光カットフィルタ羽根２２、赤外光カットフィルタ羽根２２を駆動する電磁駆動源２３、開口部１３の後方に配置されたＣＣＤ２５、開口部１３に近接した指を照射する可視光源２６及び赤外光源２７、電磁駆動源２３を駆動制御する制御手段を備え、制御手段は、操作者の認証モードにおいて、可視光源２６を点灯させたとき赤外光カットフィルタ羽根２２を開口部１３に望む位置に移動させ、赤外光源２７を点灯させたとき赤外光カットフィルタ羽根２２を退避位置に移動させる。このように、赤外光カットフィルタ羽根２２を開口部１３に対して可動としたことにより、通常の撮影を行えると同時に、認証の際の生体情報（指紋、血管）を撮影することができる。【選択図】図１
2006311358.tif 000002
【特許請求の範囲】
【請求項１】
光路となる開口部から外れた退避位置と前記開口部に臨む位置とを移動自在に設けられた赤外光カットフィルタ羽根と、前記赤外光カットフィルタ羽根を駆動する電磁駆動源と、前記開口部の後方に配置されレンズを通して被写体を撮像する撮像素子と、前記開口部に近づけられた被写体を照射するべく可視光を発する可視光源及び赤外光を発する赤外光源と、前記電磁駆動源を駆動制御する制御手段と、を備え、
前記制御手段は、操作者の認証モードにおいて、前記可視光源を点灯させたとき前記赤外光カットフィルタ羽根を前記開口部に望む位置に移動させ、前記赤外光源を点灯させたとき前記赤外光カットフィルタ羽根を前記退避位置に移動させるように、前記電磁駆動源を駆動制御する、
ことを特徴とするカメラ。
【請求項２】
前記赤外光源は、前記開口部に対して、前記可視光源よりも近い位置に配置されている、
ことを特徴とする請求項１記載のカメラ。
【請求項３】
前記電磁駆動源は、前記認証モード以外の通常モードにおいて、非通電の状態で、前記赤外光カットフィルタ羽根を前記開口部に臨む位置に位置決めして保持する、
ことを特徴とする請求項１又は２に記載のカメラ。
【請求項４】
前記開口部を開閉するシャッタ羽根と、前記シャッタ羽根を駆動する第２電磁駆動源とを含む、
ことを特徴とする請求項１ないし３いずれかに記載のカメラ。
【請求項５】
前記赤外光カットフィルタ羽根及びシャッタ羽根は、共通の基板に対して回動自在に支持されている、
ことを特徴とする請求項４記載のカメラ。
【請求項６】
前記基板には、前記赤外光カットフィルタ羽根を摺動自在に案内するガイドレールが設けられている、
ことを特徴とする請求項５記載のカメラ。
【請求項７】
携帯情報端末装置に組み込まれた請求項１ないし６いずれかに記載のカメラ。
【請求項８】
請求項１ないし６いずれかに記載のカメラを備えたカメラ付き携帯情報端末装置。
【発明の詳細な説明】
【技術分野】
【０００１】
本発明は、操作者の認証機能を備えたカメラ及びカメラ付き携帯情報端末装置に関し、特に、携帯電話機等に搭載されて操作者の認証の際に生体情報を撮影して認証を行うカメラ及びカメラ付き携帯情報端末装置に関する。
【背景技術】
【０００２】
操作者を識別する従来の認証装置としては、携帯電話機の側面に操作者の指の静脈形状、脈波、指紋等の生体情報を読み取るセンサを設け、センサにより読み取られた情報を、ＷＥＢサーバ及び管理サーバを含むユーザ管理システムに送信して、操作者の認証を行うものが知られている（例えば、特許文献１参照）。
しかしながら、この装置に採用されているセンサでは、操作者の指の静脈等に関する生体情報を、如何なる構成により読み取る（撮像する）のか、具体的な構成が開示されていない。
【０００３】
また、他の識別装置としては、操作者の指に赤外光及び可視光をそれぞれ照射する光源、指からの光を可視光と赤外光とに分離するダイクロイックミラー、ダイクロイックミラーの後方に配置されたレンズ、レンズの後方に配置されたＣＣＤ等を備え、指の血管画像を撮像することで、登録されている血管画像と照合して、個人の認証を行うものが知られている（例えば、特許文献２参照）。
しかしながら、この装置では、部品点数も多く、構造が複雑であり、携帯電話機等に搭載するのは困難である。
【０００４】
さらに、他の識別装置としては、操作者の指に照明光を照射するための光源及び光ファイバーからなる照明手段、指を透過した白色光から可視光をカットする可視光カットフィルタ、可視光カットフィルタの後方に配置されたレンズ及びＣＣＤ等を備え、ＣＣＤにより指の血管画像を撮像して、登録された血管画像と照合して、個人の認証を行うものが知られている（例えば、特許文献３参照）。
しかしながら、この装置では、赤外光がＣＣＤに常時進入する構成になっているため、血管画像を撮影するためだけにＣＣＤを用いることはできても、通常の被写体を撮影すると画像の鮮明度が低下して、通常のデジタルカメラとして適用することは困難である。
一方、通常のデジタルカメラにおいては、ＣＣＤの前方に、赤外光を遮断する赤外光カットフィルタが配置されているが、この赤外光カットフィルタと上述の可視光カットフィルタを併せ持つ構成では、血管画像等を鮮明に撮影することが難しく、構造が複雑になり、装置の大型化、高コスト化を招く。
【０００５】
【特許文献１】特開２００４−３４４３７５号公報
【特許文献２】特開平１１−２０３４５２号公報
【特許文献３】特開平７−２１３７３号公報
【発明の開示】
【発明が解決しようとする課題】
【０００６】
本発明は、上記従来技術の問題点に鑑みて成されたものであり、その目的とするところは、構成部品を極力削減して、構造の簡略化、低コスト化を図り、簡易な手法にて操作者の認証が行えると共に通常の被写体の撮影も行うことができ、特に携帯電話機等に搭載可能な小型のカメラ及びカメラ付き携帯情報端末装置を提供することにある。
【課題を解決するための手段】
【０００７】
本発明のカメラは、光路となる開口部から外れた退避位置と開口部に臨む位置とを移動自在に設けられた赤外光カットフィルタ羽根と、赤外光カットフィルタ羽根を駆動する電磁駆動源と、開口部の後方に配置されレンズを通して被写体を撮像する撮像素子と、開口部に近づけられた被写体を照射するべく可視光を発する可視光源及び赤外光を発する赤外光源と、電磁駆動源を駆動制御する制御手段とを備え、上記制御手段は、操作者の認証モードにおいて、可視光源を点灯させたとき赤外光カットフィルタ羽根を開口部に望む位置に移動させ、赤外光源を点灯させたとき赤外光カットフィルタ羽根を退避位置に移動させるように、電磁駆動源を駆動制御する、ことを特徴としている。
この構成によれば、例えば、このカメラが携帯電話機等に搭載された場合において、操作者が電源を入れて認証モードになり、操作者が指を開口部にかざすと、可視光源を点灯させると共に赤外光カットフィルタ羽根を開口部に望む位置に移動させて、指の指紋等の画像が撮像素子により撮像され、又、可視光源に替えて赤外光源を点灯させると共に赤外光カットフィルタ羽根を退避位置に移動させて、指の血管パターンの画像が撮像素子により撮像される。したがって、これらの血管パターン及び指紋の画像を登録された画像と照合して認証を行うことができる。一方、認証で許可された後に一般の撮影を行う通常モードでは、赤外光カットフィルタ羽根は、開口部に望む位置に位置決めされているため、撮像素子に進入する赤外光が遮断されて、被写体の鮮明なカラー撮影画像を得ることができる。このように、赤外光カットフィルタ羽根を開口部に対して可動としたことにより、通常の撮影を行えると同時に、認証の際の生体情報を撮影することもできる。
【０００８】
上記構成において、赤外光源は、開口部に対して、可視光源よりも近い位置に配置されている、構成を採用することができる。
この構成によれば、赤外光は、指等の皮膚面に対して垂直に近い角度で入射して皮膚直下の血管パターンを鮮明に画像として映し出すことができ、可視光は、指等の皮膚面に斜め方向から入射して指紋等に陰影をつけて、指紋のパターンを鮮明に画像として映し出すことができる。
【０００９】
上記構成において、電磁駆動源は、認証モード以外の通常モードにおいて、非通電の状態で、赤外光カットフィルタ羽根を開口部に臨む位置に位置決めして保持する、構成を採用することができる。
この構成によれば、通常の被写体を撮影する通常モードでは、赤外光カットフィルタ羽根は、非通電の状態で開口部に臨む位置に位置決めされて保持されるため、消費電力を低減することができ、このカメラが携帯電話機等の小型の機器に搭載される際に、電源を小型化でき、全体の小型化に寄与する。
【００１０】
上記構成において、さらに、開口部を開閉するシャッタ羽根と、シャッタ羽根を駆動する第２電磁駆動源とを含む、構成を採用することができる。
この構成によれば、第２電磁駆動源によりシャッタ羽根を開閉駆動することでシャッタ機能が得られるため、通常の撮影でシャッタ機能を用いることができるのは勿論のこと、認証モードにおける生体の撮影でも、必要であればシャッタ機能を作動させることができる。
【００１１】
上記構成において、赤外光カットフィルタ羽根及びシャッタ羽根は、共通の基板に対して回動自在に支持されている、構成を採用することができる。
この構成によれば、赤外光カットフィルタ羽根を回動自在に支持する基板とシャッタ羽根を回動自在に支持する基板とを共通とすることにより、別々に設ける場合に比べて、部品点数を削減できると共に薄型化を達成できる。
【００１２】
上記構成において、基板には、赤外光カットフィルタ羽根を摺動自在に案内するガイドレールが設けられている、構成を採用することができる。
この構成によれば、赤外光カットフィルタ羽根はガイドレールに案内されて往復動するためその動作が安定し、シャッタ羽根に隣接して配置される場合にシャッタ羽根と干渉するのを防止できる。
【００１３】
また、上記構成をなすいずれかのカメラは、携帯情報端末装置に組み込まれたカメラとすることもできる。
この構成によれば、簡易な手法にて、携帯情報端末装置の所有者（操作者）の認証が行えると共に通常の被写体の撮影も行うことができる。
【００１４】
また、本発明のカメラ付き携帯情報端末装置は、上記構成をなすカメラのいずれかのカメラを備えた携帯情報端末装置とすることを特徴としている。
この構成によれば、簡易な手法にて、携帯情報端末装置の所有者（操作者）の認証が行えると共に通常の被写体の撮影も行うことができる。
【発明の効果】
【００１５】
上記構成をなす本発明のカメラ及びカメラ付き携帯情報端末装置によれば、構成部品を極力削減して、構造の簡略化、低コスト化を達成しつつ、簡易な手法にて操作者の認証が行えると共に通常の被写体の撮影も行うことができ、特に携帯電話機等に搭載可能な小型のカメラ及び小型のカメラ付き携帯電話機等を得ることができる。
【発明を実施するための最良の形態】
【００１６】
以下、本発明の最良の実施形態について、添付図面を参照しつつ説明する。図１ないし図４は、本発明に係るカメラを搭載した携帯電話機及びカメラの一実施形態を示すものであり、図１は携帯電話機を示す正面図、図２は携帯電話機に搭載されたカメラを示す部分断面図、図３は赤外光カットフィルタ羽根の動作を示す平面図、図４はカメラの可視光源及び赤外光源と開口部の関係を示す断面図である。
【００１７】
携帯電話機は、図１に示すように、全体の輪郭を画定すると共に内部に各種の制御回路及び電子部品等を収容するケース１０、ケース１０の表面下側に配置された複数の操作釦１１、ケース１０の表面上側に設けられた液晶表示部１２及び光路となる開口部１３、信号の送受信を行うアンテナ１４、開口部１３の奥側でケース１０に収容されたカメラ２０等を備えている。
【００１８】
カメラ２０は、図１ないし図４に示すように、ケース１０内に固定された基板２１、基板２１に対して回動自在に支持された赤外光カットフィルタ羽根２２、基板２１に固定されて赤外光カットフィルタ羽根２２を駆動する電磁駆動源２３、赤外光カットフィルタ羽根２２の後方（奥側）に配置されたレンズ２４、レンズ２４の後方に配置された撮像素子としてのＣＣＤ２５、開口部１３の近傍においてケース１０に設けられた可視光源２６及び赤外光源２７、種々の制御を司る制御手段としての制御回路（不図示）等を備えている。
【００１９】
基板２１は、図２に示すように、赤外光カットフィルタ羽根２２を回動自在に支持する支軸２１ａ、後述するレンズ鏡筒２４ａを結合する開口部２１ｂ、電磁駆動源２３を固定するフランジ部２１ｃ、後述する電磁駆動源２３の駆動ピン２３ｂを所定角度の範囲で円弧状に移動自在に通す貫通孔２１ｄ等を備えている。
【００２０】
赤外光カットフィルタ羽根２２は、赤外光がＣＣＤ２５へ進入するのを遮断するものであり、支軸２１ａを通す円孔２２ａ、駆動ピン２３ｂを通す長孔２２ｂを有する。
そして、赤外光カットフィルタ羽根２２は、図２及び図３に示すように、円孔２２ａに支軸２１ａが挿入され、長孔２２ｂに駆動ピン２３ｂが挿入され、支軸２１ａ回りに回動自在に支持されており、駆動ピン２３ｂが所定範囲を往復動することにより、図３に示すように、開口部１３に臨む位置（赤外光が内部に進入するのを遮断する位置）と、開口部１３から外れた退避位置（赤外光が内部に進入するのを許容する位置）との間を移動するようになっている。
【００２１】
電磁駆動源２３は、図２及び図３に示すように、赤外光カットフィルタ羽根２２を駆動するものであり、電磁力により所定の角度範囲を回動するロータ２３ａ，ロータ２３ａと一体に形成されたクランク形状の駆動ピン２３ｂ、励磁用のコイル（不図示）等を備えている。
そして、電磁駆動源２３は、駆動ピン２３ｂが赤外光カットフィルタ羽根２２の長孔２２ｂに挿入されると共に貫通孔２１ｄで規制される範囲において回動し、赤外光カットフィルタ羽根２２を、図３に示すように開口部１３に臨む位置と退避位置との間で移動させるようになっている。また、電磁駆動源２３は、非通電の状態で、赤外光カットフィルタ羽根２２を、開口部１３に臨む位置と退避位置とでそれぞれ停止させて保持するように形成されている。したがって、消費電力を低減することができ、それ故に電源を小型化でき、携帯電話機等の小型化に寄与する。
【００２２】
レンズ２４は、図２及び図４に示すように、光路となる開口部１３を通る光軸Ｌの方向において、赤外光カットフィルタ羽根２２よりも後方（奥側）において、基板２１の開口部２１ｂに結合されたレンズ鏡筒２４ａに保持されている。レンズ２４の仕様については、単レンズ、複数のレンズ、あるいは接合レンズ等の如く、要求される光学性能に応じて設定される。
【００２３】
撮像素子としてのＣＣＤ２５は、図２及び図４に示すように、光軸Ｌの方向において、レンズ２４よりも後方に配置され、レンズ鏡筒２４ａの後端に接合された回路基板２５ａを介して基板２１に固定されている。ここで、回路基板２５ａには、制御手段としての各種の制御回路及び電子部品等が設けられている。尚、制御手段としては、携帯電話機の回路基板に設けられた各種の制御回路等を併用してもよい。
【００２４】
可視光源２６は、図１及び４に示すように、ケース１０上において、開口部１３よりも離れた位置に開けられた取付孔１５に設けられており、開口部１３にかざした操作者の指Ｆに対して、比較的小さい角度θ１で斜め方向から可視光を照射するようになっている。このように、可視光源２６が開口部１３から離れた位置に配置されることで、可視光が指Ｆの表面に対して斜め方向から当たるため、指紋等に陰影が付き易くなる。
そして、可視光源２６から発せられた可視光は、指Ｆ等の皮膚面に斜め方向から入射して指紋等に陰影をつけて、赤外光カットフィルタ羽根２２が開口部１３に望む位置にある状態で、指Ｆからの反射光がレンズ２４を通してＣＣＤ２５に入射し、指紋のパターンを鮮明な画像として結像させるようになっている。
【００２５】
赤外光源２７は、図１及び図４に示すように、ケース１０上において、開口部１３に近い位置に開けられた取付孔１６に設けられており、開口部１３にかざした操作者の指Ｆに対して、比較的大きい角度θ２で垂直により近い方向から赤外光を照射するようになっている。このように、赤外光源２７が開口部１３に近い位置に配置されることで、赤外光が指Ｆの皮膚内部までまっすぐに入り込んで、血管を照射し易くなる。
そして、赤外光源２７から発せられた赤外光は、指Ｆ等の皮膚面により垂直に近い角度で入り込んで皮膚内部の血管を照射し、赤外光カットフィルタ羽根２２が開口部１３から退避位置に移動した状態で、その反射光がレンズ２４を通してＣＣＤ２５に入射し、血管のパターンを鮮明な画像として結像させるようになっている。
【００２６】
すなわち、赤外光源２７と可視光源２６とは、図４に示すように、赤外光源２７が開口部１３に対して可視光源２６よりも近い位置に配置されている。これにより、赤外光は、指Ｆ等の皮膚面に対して垂直に近い角度θ２で入射して皮膚直下の血管パターンを鮮明に画像として映し出すことができ、一方、可視光は、指Ｆ等の皮膚面に斜め方向から小さい角度θ１（ここで、θ２＞θ１）で入射して指紋等に陰影をつけて、指紋のパターンを鮮明に画像として映し出すことができる。
【００２７】
次に、このカメラ２０が搭載された携帯電話機において、認証のための撮影を行う場合の動作の一例について、図５を参照しつつ説明する。尚、それぞれの駆動制御は制御手段が司る。
先ず、携帯電話機の電源がオンにされると（ステップＳ１）、自動的に操作者が登録された者か否かの識別を行う認証モードになる（ステップＳ２）。
この初期状態において、赤外光カットフィルタ羽根２２は、開口部１３に臨む位置に停止して、電磁駆動源２３の磁気的保持力により、非通電の状態で保持されている。
【００２８】
そして、図１及び４に示すように操作者が指Ｆを開口部１３にかざす（近接させる）と（ステップＳ３）、所定のタイミングで可視光源２６が点灯する（ステップＳ４）と共に、認証のための指紋等のパターン画像がＣＣＤ２５により撮影され記憶部に記憶される（ステップＳ５）。
続いて、所定のタイミングで可視光源２６に替えて赤外光源２７が点灯する（ステップＳ６）と同時に、電磁駆動源２３が通電されて、赤外光カットフィルタ羽根２２が開口部１３から外れた退避位置に移動し（ステップＳ７）、認証のための血管パターンの画像がＣＣＤ２５により撮影され記憶部に記憶される（ステップＳ８）。尚、赤外光カットフィルタ羽根２２は、非通電状態で退避位置に保持される。
【００２９】
そして、予め記憶部に登録された操作者の指紋及び血管の画像に関する情報と一致するか否かの照合が行われる（ステップＳ９）。ここで、不一致と判断された場合は、その認証の回数Ｎがカウントされ（ステップＳ１０）、Ｎ＜Ｎ１のときは再びステップＳ２に戻って認証モードを繰り返す。そして、Ｎ≧Ｎ１のときは認証が不許可となり、電源が自動的にオフとなる（ステップＳ１１）。
一方、ステップＳ９において、画像が一致すると判断された場合は、電磁駆動源２３が通電されて、赤外光カットフィルタ２２が開口部１３に臨む位置に移動する（ステップＳ１２）。そして、電磁駆動源２３が非通電とされても、赤外光カットフィルタ羽根２２は開口部１３に臨む位置に停止した状態で保持される。
【００３０】
これにより、通常の被写体を撮影できる通常モードに移行する（ステップＳ１３）。この通常モードは最も長く持続される状態であるため、非通電状態で赤外光カットフィルタ羽根２２を保持することにより、消費電力を低減でき、それ故に、電源等の小型化を達成できる。
【００３１】
そして、この通常モードにおいて、被写体を撮影したい場合は、レリーズ動作を行うことにより、電子シャッタが作動して被写体の画像が撮影される。この通常モードでは、赤外光カットフィルタ羽根２２は、開口部１３に望む位置に位置決めされているため、ＣＣＤ２５に進入する赤外光が遮断されて、被写体の鮮明なカラー撮影画像を得ることができる。
このように、赤外光カットフィルタ羽根２２を開口部１３に対して可動としたことにより、通常の撮影を行えると同時に、認証の際の生体情報（指の指紋及び血管のパターン画像）を撮影することもできる。
【００３２】
図６ないし図８は、本発明に係るカメラの他の実施形態を示すものであり、シャッタ羽根及びシャッタ羽根を駆動する第２電磁駆動源を追加し、基板及びケースの一部を変更した以外は前述の実施形態と同一であるため、同一の構成については同一の符号を付してその説明を省略する。
この実施形態において、カメラ２０´には、図６ないし図８に示すように、開口部１３を開閉するシャッタ羽根３２、シャッタ羽根３２を駆動する第２電磁駆動源３３が設けられている。
基板２１には、図７に示すように、シャッタ羽根３２を回動自在に支持する支軸２１ａ´、第２電磁駆動源３３を固定するフランジ部２１ｃ´、後述する第２電磁駆動源３３の駆動ピン３３ｂを所定角度の範囲で円弧状に移動自在に通す貫通孔２１ｄ´、赤外光カットフィルタ羽根２２を摺動自在に案内するガイドレール２１ｅ´等が追加されている。尚、ケース１０にも、ガイドレール２１ｅ´と対向するガイドレール１７´が追加されている。
【００３３】
シャッタ羽根３２は、開口部１３を開閉してシャッタ動作を行うものであり、支軸２１ａ´を通す円孔３２ａ、後述する駆動ピン３３ｂを通す長孔３２ｂを有する。
そして、シャッタ羽根３２は、図７及び図８に示すように、赤外光カットフィルタ２２の前方（開口部１３寄り）に隣接して配置され、円孔３２ａに支軸２１ａ´が挿入され、長孔３２ｂに駆動ピン３３ｂが挿入され、支軸２１ａ´回りに回動自在に支持されており、駆動ピン３３ｂが所定範囲を往復動することにより、図８に示すように、開口部１３に臨む位置（閉鎖位置）と、開口部１３から外れた退避位置（開放位置）との間を移動するようになっている。
【００３４】
第２電磁駆動源３３は、図７及び図８に示すように、シャッタ羽根３２を駆動するものであり、電磁力により所定の角度範囲を回動するロータ３３ａ、ロータ３３ａと一体に形成されたクランク形状の駆動ピン３３ｂ、励磁用のコイル（不図示）等を備えている。
そして、第２電磁駆動源３３は、駆動ピン３３ｂがシャッタ羽根３２の長孔３２ｂに挿入されると共に貫通孔２１ｄ´で規制される範囲において回動し、シャッタ羽根３２を、図８に示すように開口部１３に臨む位置と退避位置との間で移動させるようになっている。また、第２電磁駆動源３３は、非通電の状態で、シャッタ羽根３２を、開口部１３に臨む位置と退避位置とでそれぞれ停止させて保持するように形成されている。したがって、消費電力を低減することができ、それ故に電源を小型化でき、携帯電話機等の小型化に寄与する。
【００３５】
この実施形態では、赤外光カットフィルタ羽根２２及びシャッタ羽根３２が、共通の基板２１に対して回動自在に支持されているため、別々の基板を設ける場合に比べて、部品点数を削減できると共に薄型化を達成できる。また、基板２１（及びケース１０）に、赤外光カットフィルタ羽根２２を摺動自在に案内するガイドレール２１ｅ´，１７´が設けられているため、赤外光カットフィルタ羽根２２はガイドレール２１ｅ´，１７´に案内されて安定した往復動作を行い、シャッタ羽根３３に隣接して配置された場合でもシャッタ羽根３３と干渉するのを防止できる。
【００３６】
このカメラ２０´が搭載された携帯電話機において、認証のための撮影を行う場合の動作は、基本的に前述の実施形態と同様であるが、通常モードにおいて、被写体を撮影したい場合は、レリーズ動作を行うことにより、第２電磁駆動源３３が通電されて、シャッタ羽根３３が開口部１３を閉鎖してシャッタ動作が完了する。
また、認証モードにおいて必要な場合は、同様のシャッタ動作が行われるように駆動制御されてもよい。
【００３７】
上記実施形態においては、認証モードにおいて、可視光源２６を点灯して指紋に関するパターン画像を撮影した後に、赤外光源２７を点灯して血管に関するパターン画像を撮影する場合を示したが、これに限定されるものではなく、逆の順序で認証画像の撮影を行ってもよい。
上記実施形態においては、カメラ２０，２０´を携帯電話機に搭載した場合を示したが、これに限定されるものではなく、携帯型パーソナルコンピュータ、ＰＤＡ等その他の携帯情報端末機等に搭載されてもよい。
【産業上の利用可能性】
【００３８】
以上述べたように、本発明のカメラは、携帯電話機、携帯型パーソナルコンピュータ、ＰＤＡ等の携帯情報端末機に搭載されて操作者の認証のための撮影を行う場合に適用できるのは勿論のこと、その他の医療機器あるいはオフィスでの認証システム等に採用されて、通常の撮影と認証用の撮影を行うのに有用である。
【図面の簡単な説明】
【００３９】
【図１】本発明に係るカメラを搭載した携帯電話機の一実施形態を示す正面図である。
【図２】図１の携帯電話機に搭載されたカメラを示す部分断面図である。
【図３】カメラに含まれる赤外光カットフィルタ羽根の動作を示す平面図である。
【図４】カメラに含まれる可視光源及び赤外光源と開口部にかざした操作者の指との関係を示す断面図である。
【図５】カメラにおける認証モードでの制御動作を示すフローチャートである。
【図６】本発明に係るカメラを搭載した携帯電話機の他の実施形態を示す正面図である。
【図７】図６の携帯電話機に搭載されたカメラを示す部分断面図である。
【図８】図７に示すカメラに含まれる赤外光カットフィルタ羽根及びシャッタ羽根の動作を示す平面図である。
【符号の説明】
【００４０】
１０  ケース
１３  光路となる開口部
１５，１６  取付孔
１７´  ガイドレール
２０，２０´  カメラ
２１  基板
２１ａ，２１ａ´  支軸
２１ｅ´  ガイドレール
２２  赤外光カットフィルタ羽根
２３  電磁駆動源
２３ａ  ロータ
２３ｂ  駆動ピン
２４  レンズ
２５  ＣＣＤ（撮像素子）
２５ａ  回路基板（制御手段）
２６  可視光源
２７  赤外光源
３２  シャッタ羽根
３３  第２電磁駆動源
３３ａ  ロータ
３３ｂ  駆動ピン
【図１】
2006311358.tif 000003
【図２】
2006311358.tif 000004
【図３】
2006311358.tif 000005
【図４】
2006311358.tif 000006
【図５】
2006311358.tif 000007
【図６】
2006311358.tif 000008
【図７】
2006311358.tif 000009
【図８】
2006311358.tif 000010